(57)【要約】      （修正有）【課題】水分の侵入を抑制することができ、且つ、構成の簡素化を図ることができる発光装置および照明装置を提供する。【解決手段】第１基板２と；第１基板と対峙して設けられた第２基板３と；第１基板の第２基板と対峙する側の面に設けられた第１電極１１と；第１電極の上に設けられ、有機エレクトロルミネセンスにより発光する有機発光部１２と；有機発光部の上に設けられた第２電極１３と；第１基板の周縁近傍と、第２基板の周縁近傍と、の間に設けられ、枠状を呈する第１封止部４と；第１封止部の内側に、空間３１を介して設けられ、有機発光部が設けられた領域を覆い、乾燥剤を含む第２封止部３０と；を具備している発光装置１。【選択図】図１
2016162563.tif 000002
【特許請求の範囲】
【請求項１】
第１基板と；
前記第１基板と対峙して設けられた第２基板と；
前記第１基板の前記第２基板と対峙する側の面に設けられた第１電極と；
前記第１電極の上に設けられ、有機エレクトロルミネセンスにより発光する有機発光部と；
前記有機発光部の上に設けられた第２電極と；
前記第１基板の周縁近傍と、前記第２基板の周縁近傍と、の間に設けられ、枠状を呈する第１封止部と；
前記第１封止部の内側に、空間を介して設けられ、前記有機発光部が設けられた領域を覆い、乾燥剤を含む第２封止部と；
を具備した発光装置。
【請求項２】
前記第１基板は、光の透過性を有し、
前記第２基板は、光の透過性を有し、
前記第１電極は、導電性と、光の透過性と、を有し
前記有機発光部は、第１方向に延び、前記第１方向と交差する第２方向に所定の間隔を空けて並べて複数設けられ、
前記第２封止部は、光の透過性を有する請求項１記載の発光装置。
【請求項３】
前記第２方向に並べて設けられた前記複数の有機発光部のうち、並びの両側に設けられた前記有機発光部の前記第１方向における長さは、前記並びの両側に設けられた有機発光部以外の前記有機発光部の前記第１方向における長さよりも短い請求項２記載の発光装置。
【請求項４】
筐体と；
前記筐体の内部に設けられた請求項１〜３のいずれか１つに記載の発光装置と；
を具備した照明装置。
【請求項５】
前記筐体は、第１基板が露出する窓部を有し、
平面視において、第１封止部と、第２封止部と、の間に設けられた空間が前記窓部の内部に露出していない請求項４記載の照明装置。
【発明の詳細な説明】
【技術分野】
【０００１】
本発明の実施形態は、発光装置および照明装置に関する。
【背景技術】
【０００２】
有機エレクトロルミネセンス（ＯＥＬ：Organic Electro-Luminescence）により発光する有機発光部を備えた発光装置がある。  
近年においては、このような発光装置を照明装置に用いるようになってきている。  
ところが、有機エレクトロルミネセンスにより発光する有機発光部に水分（水蒸気）が侵入すると、発光特性が劣化する。  
そのため、乾燥剤（捕水剤とも称される）を含み、有機発光部を囲む枠状の乾燥剤膜を備えた発光装置が提案されている。  
しかしながら、枠状の乾燥剤膜とすれば、乾燥剤膜と基板の接合部分を介して水分が侵入するおそれがある。また、枠状の乾燥剤膜を設けるようにすれば、発光装置の構成が複雑となり、製造コストの増大を招くことにもなる。  
そのため、水分の侵入を抑制することができ、且つ、構成の簡素化を図ることができる発光装置および照明装置の開発が望まれていた。
【先行技術文献】
【特許文献】
【０００３】
【特許文献１】特開２００９−２５９７３２号公報
【発明の概要】
【発明が解決しようとする課題】
【０００４】
本発明が解決しようとする課題は、水分の侵入を抑制することができ、且つ、構成の簡素化を図ることができる発光装置および照明装置を提供することである。
【課題を解決するための手段】
【０００５】
実施形態に係る発光装置は、第１基板と；前記第１基板と対峙して設けられた第２基板と；前記第１基板の前記第２基板と対峙する側の面に設けられた第１電極と；前記第１電極の上に設けられ、有機エレクトロルミネセンスにより発光する有機発光部と；前記有機発光部の上に設けられた第２電極と；前記第１基板の周縁近傍と、前記第２基板の周縁近傍と、の間に設けられ、枠状を呈する第１封止部と；前記第１封止部の内側に、空間を介して設けられ、前記有機発光部が設けられた領域を覆い、乾燥剤を含む第２封止部と；を具備している。
【発明の効果】
【０００６】
本発明の実施形態によれば、水分の侵入を抑制することができ、且つ、構成の簡素化を図ることができる発光装置および照明装置を提供することができる。
【図面の簡単な説明】
【０００７】
【図１】第１の実施形態に係る発光装置１および照明装置１００を例示するための模式断面図である。
【図２】図１におけるＡ−Ａ線断面図である。
【図３】他の実施形態に係る発光装置４１を例示するための模式断面図である。
【図４】第２の実施形態に係る発光装置６１および照明装置１１０を例示するための模式断面図である。
【発明を実施するための形態】
【０００８】
実施形態に係る発明は、第１基板と；前記第１基板と対峙して設けられた第２基板と；前記第１基板の前記第２基板と対峙する側の面に設けられた第１電極と；前記第１電極の上に設けられ、有機エレクトロルミネセンスにより発光する有機発光部と；前記有機発光部の上に設けられた第２電極と；前記第１基板の周縁近傍と、前記第２基板の周縁近傍と、の間に設けられ、枠状を呈する第１封止部と；前記第１封止部の内側に、空間を介して設けられ、前記有機発光部が設けられた領域を覆い、乾燥剤を含む第２封止部と；を具備した発光装置である。  
この発光装置によれば、水分の侵入を抑制することができ、且つ、構成の簡素化を図ることができる。
【０００９】
この場合、以下の様にすることもできる。前記第１基板は、光の透過性を有する。前記第２基板は、光の透過性を有する。前記第１電極は、導電性と、光の透過性と、を有する。前記有機発光部は、第１方向に延び、前記第１方向と交差する第２方向に所定の間隔を空けて並べて複数設けられている。前記第２封止部は、光の透過性を有する。  
この様にすれば、外部から入射する光を透過させることができるので、外光の有効利用を図ることができる。
【００１０】
また、前記第２方向に並べて設けられた前記複数の有機発光部のうち、並びの両側に設けられた前記有機発光部の前記第１方向における長さは、前記並びの両側に設けられた有機発光部以外の前記有機発光部の前記第１方向における長さよりも短くなるようにすることができる。  
この様にすれば、複数の有機発光部のうち、最も水分が侵入しやすい部分を無くすことができる。
【００１１】
また、実施形態に係る発明は、筐体と；前記筐体の内部に設けられた上記の発光装置と；を具備した照明装置である。  
この照明装置によれば、水分の侵入を抑制することができ、且つ、構成の簡素化を図ることができる。
【００１２】
また、前記筐体は、第１基板が露出する窓部を有するものとすることができる。そして、平面視において、第１封止部と、第２封止部と、の間に設けられた空間が前記窓部の内部に露出していないようにすることができる。  
この様にすれば、発光装置の周縁近傍において生じ得る色味や明るさが異なる領域を隠すことができる。
【００１３】
以下、図面を参照しつつ、実施の形態について例示をする。なお、各図面中、同様の構成要素には同一の符号を付して詳細な説明は適宜省略する。  
また、本明細書において、「光の透過性を有する」、「光を透過する」とは、光の透過率が１００パーセントの場合に限定されない。「光の透過性を有する」、「光を透過する」とは、少なくとも可視光の波長を有する光に対して透過率がゼロでなければよい。  
また、各図中の矢印Ｘ、Ｙ、Ｚは互いに直交する三方向を表している。例えば、基板２（第１基板の一例に相当する）または基板３（第２基板の一例に相当する）の主面に対して垂直な方向をＺ方向としている。また、基板２または基板３の主面に対して平行な平面内の１つの方向をＹ方向（第１方向の一例に相当する）とし、Ｚ方向とＹ方向とに垂直な方向をＸ方向（第２方向の一例に相当する）としている。  
また、本明細書において、「平面視」とは、Ｚ方向から見た場合を表している。
【００１４】
（第１の実施形態）  
図１は、第１の実施形態に係る発光装置１および照明装置１００を例示するための模式断面図である。  
図２は、図１におけるＡ−Ａ線断面図である。  
まず、本実施の形態に係る発光装置１について説明する。  
図１に示すように、発光装置１は、有機エレクトロルミネセンスにより発光する発光部１０と、外部から入射した光Ｌ２を透過させる透過部２０とを備えている。  
すなわち、発光装置１は、透過型の発光装置である。
【００１５】
発光装置１には、基板２、基板３、第１封止部４、発光部１０、透過部２０、および第２封止部３０が設けられている。  
基板２は、板状を呈している。  
基板２は、絶縁性と光の透過性とを有した材料を用いて形成されている。  
基板２は、例えば、ナトリウムやカリウムなどのアルカリ成分を含まない無アルカリガラス、ソーダ石灰ガラス（ソーダガラスとも称する）、石英、ポリエチレンテレフタレート、ポリプロピレン、ポリカーボネート、アクリルなどを用いて形成することができる。
【００１６】
基板３は、基板２に対峙して設けられている。  
基板３は、板状を呈している。  
基板３の材料は、基板２の材料と同じとすることができる。  
この場合、基板２と基板３は、透湿性の低い材料から形成することが好ましい。  
例えば、基板２と基板３は、無アルカリガラス、ソーダ石灰ガラス、石英などの無機材料から形成することが好ましい。
【００１７】
第１封止部４は、基板２と基板３との間に設けられている。  
第１封止部４は、基板２の周縁近傍と、基板３の周縁近傍との間に設けられ、枠状を呈している。  
第１封止部４は、基板２および基板３の周縁を封止している。  
すなわち、第１封止部４は、基板２と基板３との間の空間を封止する。  
第１封止部４は、例えば、紫外線硬化型の樹脂や、フリットなどのガラス材料などから形成することができる。  
この場合、第１封止部４は、フリットなどのガラス材料のように透湿性の低い材料から形成することが好ましい。
【００１８】
発光部１０は、電極１１（第１電極の一例に相当する）、有機発光部１２、および電極１３（第２電極の一例に相当する）を有する。  
電極１１は、膜状を呈し、基板２の基板３と対峙する側の面に設けられている。  
なお、電極１１の形態は、平面視において線状または網目状とすることもできる。  
電極１１は、有機発光部１２と接触し、電気的に接続されている。  
電極１１は、例えば、有機発光部１２に正孔（ホール）を注入するための電極（陽極）とすることができる。  
また、電極１１は、有機発光部１２からの光Ｌ１を放射する側に設けられているので、光Ｌ１を透過させる機能をも有している。
【００１９】
そのため、電極１１は、導電性と光の透過性とを有した材料を用いて形成されている。  電極１１は、例えば、ＩＴＯ（Indium Tin Oxide）、ＺｎＯ（Zinc oxide）、ＩＺＯ（登録商標）、ＩＧＺＯ、ＬｉＦ／ＭｇＡｇ／Ａｇからなる積層膜などを用いて形成することができる。  
電極１１は、封止部４の外側に設けられた図示しない端子と電気的に接続されている。
【００２０】
有機発光部１２は、電極１１の上に設けられている。  
有機発光部１２は、平面視において線状を呈している。例えば、図２に示すように、有機発光部１２は、Ｙ方向に延びている。  
有機発光部１２は、Ｘ方向に所定の間隔を空けて、互いに平行となるように並べて複数設けられている。  
有機発光部１２は、有機エレクトロルミネセンスにより発光する。  
有機発光部１２は、例えば、有機発光ダイオード（ＯＬＥＤ；Organic light-emitting diode）などとすることができる。
【００２１】
有機発光部１２は、例えば、４，４’−ビス［Ｎ−（２−ナフチル）−Ｎ−フェニル−アミノ］ビフェニル（一般的に、α−ＮＰＤともいう）を含む正孔輸送層、トリス（８−キノリノラト）アルミニウム錯体（一般的に、Ａｌｑ３ともいう）を含む有機発光層、およびフッ化リチウム（ＬｉＦ）を含む電子注入層を積層したものとすることができる。  
ただし、有機発光部１２の材料や構成は例示をしたものに限定されるわけではなく適宜変更することができる。  
例えば、有機発光部１２は、有機発光層のみからなる単層構造とすることもできるし、フタロシアニンなどを含む正孔注入層、フルオレン誘導体などを含む電子輸送層をさらに有する多層構造とすることもできる。
【００２２】
電極１３は、有機発光部１２の上に設けられている。  
電極１３は、有機発光部１２と接触し、電気的に接続されている。  
電極１３は、平面視において線状を呈している。例えば、図２に示すように、電極１３は、Ｙ方向に延びている。  
電極１３は、所定の間隔を空けて互いに平行となるように複数設けられている。  
電極１３は、例えば、有機発光部１２に電子を注入するための電極（陰極）とすることができる。
【００２３】
電極１３は、導電性を有する材料から形成することができる。  
電極１３は、例えば、アルミニウムなどの金属から形成することができる。  
また、電極１３は、導電性と光の透過性とを有する材料から形成することもできる。  
電極１３が導電性と光の透過性とを有する材料から形成された場合には、有機発光部１２から出射した光Ｌ１は、発光装置１の正面側および背面側に放射される。この場合、発光装置１は、両面発光型の発光装置となる。
【００２４】
導電性と光の透過性とを有する電極１３は、例えば、ＩＴＯ、ＺｎＯ、ＩＺＯ（登録商標）、ＩＧＺＯ、ＬｉＦ／ＭｇＡｇ／Ａｇからなる積層膜などとを用いて形成することができる。  
この場合、電極１３の材料は、電極１１の材料と同じものとすることもできるし、電極１１の材料と異なるものとすることもできる。  
電極１３は、封止部４の外側に設けられた図示しない端子と電気的に接続されている。
【００２５】
透過部２０は、平面視において、有機発光部１２と電極１３からなる積層体同士の間に設けられている。また、透過部２０は、電極１１の周縁近傍に設けられた有機発光部１２と電極１３からなる積層体の外側にも設けられている。  
透過部２０は、有機発光部１２と電極１３からなる積層体同士の間を絶縁する。また、透過部２０は、外部から入射した光Ｌ２を透過させる。  
透過部２０は、絶縁性と光の透過性とを有する材料から形成することができる。  
透過部２０は、例えば、無アルカリガラス、ソーダ石灰ガラス、石英、ポリエチレンテレフタレート、ポリプロピレン、ポリカーボネート、アクリルなどを用いて形成することができる。  
なお、透過部２０は、必ずしも必要ではなく、透過部２０の代わりに第２封止部３０が設けられていてもよい。
【００２６】
図２に示すように、第２封止部３０は、平面視において、有機発光部１２が設けられた領域を覆うように設けられている。  
第２封止部３０の基板２側の面は、電極１１、電極１３、および透過部２０と密着している。  
第２封止部３０の基板３側の面は、基板３と密着している。  
第２封止部３０は、外部から侵入した水分（水蒸気）が有機発光部１２に到達するのを抑制するために設けられている。  
また、第２封止部３０は、外部から入射した光Ｌ２を透過させる。  
さらに、第２封止部３０は、電極１３同士の間を絶縁する。
【００２７】
第２封止部３０は、絶縁性と光の透過性とを有した材料に乾燥剤を添加したものから形成することができる。  
第２封止部３０は、例えば、ポリエチレンテレフタレート、ポリプロピレン、ポリカーボネート、アクリルなどの透光性を有する樹脂に乾燥剤を添加したものから形成することができる。  
乾燥剤は、例えば、粒子状を呈し、酸化カルシウム、酸化バリウム、酸化マグネシウム、五酸化リンなどを含むものとすることができる。  
第２封止部３０は、水分の透過を抑制するフィラーをさらに含むものとすることができる。フィラーは、例えば、粒子状や繊維状を呈し、タルク（talc）などの無機材料を含むものとすることができる。
【００２８】
乾燥剤の含有量やフィラーの含有量を増やせば、外部から侵入した水分が有機発光部１２に到達し難くなる。  
しかしながら、乾燥剤の含有量やフィラーの含有量を増やせば、外部から入射した光Ｌ２の透過が妨げられるおそれがある。  
そのため、乾燥剤の含有量やフィラーの含有量は、発光装置１および照明装置１００の用途、設置環境などを考慮して決定することが好ましい。  
この場合、実験やシミュレーションを行うことで、適切な乾燥剤の含有量やフィラーの含有量を求めることができる。
【００２９】
また、図１および図２に示すように、第２封止部３０と第１封止部４との間には、空間３１が設けられている。  
すなわち、第２封止部３０は、枠状の第１封止部４の内側に、空間３１を介して設けられている。  
空間３１の内部は、発光装置１の外部環境よりも減圧された状態とすることもできるし、乾燥ガスが大気圧（１．０気圧）程度の圧力に充填された状態とすることもできる。  
乾燥ガスは、例えば、乾燥した空気、乾燥した窒素ガス、乾燥した不活性ガス（例えば、アルゴンガスやヘリウムガスなど）などとすることができる。  
また、空間３１は、第２封止部３０の全周に設けられていてもよいし、分断された状態で第２封止部３０の周縁に沿って設けられていてもよい。例えば、第２封止部３０と第１封止部４とが接触している部分があってもよい。
【００３０】
第１封止部４と基板２の接合面、または、第１封止部４と基板３の接合面を介して、枠状の第１封止部４の内側に水分が侵入する場合がある。  
第１封止部４の内側に侵入した水分は、空間３１を介して第２封止部３０に到達する。この際、水分は、空間３１の内部を拡散して第２封止部３０に到達する。そのため、第２封止部３０に到達する単位面積当たりの水分量を低下させることができる。すなわち、侵入した水分が接触する第２封止部３０の面積を大きくすることができる。  
この場合、空間３１の内部に対流を生じさせることができれば、水分が拡散する範囲を拡げることができる。そのため、空間３１は、第２封止部３０の全周に設けられ、乾燥ガスが充填されているようにすることが好ましい。
【００３１】
ここで、平面視において、有機発光部１２が設けられた領域を囲むように枠状の第２封止部３０を設けるようにすると、第２封止部３０と基板２の接合面、または、第２封止部３０と基板３の接合面を介して、枠状の第２封止部３０の内側に水分が侵入するおそれがある。  
第２封止部３０と基板２の接合面、または、第２封止部３０と基板３の接合面には乾燥剤がほとんど無いので、第２封止部３０に乾燥剤を含有させた意義が低くなる。  
すなわち、有機発光部１２が設けられた領域を囲む枠状の第２封止部３０とすれば、第２封止部３０に乾燥剤を含有させた意義が低くなる。
【００３２】
本実施の形態においては、第２封止部３０は、平面視において、有機発光部１２が設けられた領域を覆うように設けられている。そのため、第２封止部３０と基板３の接合面に水分が侵入したとしても、水分は、乾燥剤を含む第２封止部３０を透過しなければ有機発光部１２に到達することができない。  
第２封止部３０の周面または第２封止部３０の基板３側の面から第２封止部３０の内部に侵入した水分は乾燥剤に捕捉されるので、侵入した水分が有機発光部１２に到達するのを効果的に抑制することができる。
【００３３】
また、第２封止部３０にフィラーがさらに含まれている場合には、乾燥剤に捕捉されなかった水分が有機発光部１２に到達するのを抑制することができる。  
また、第２封止部３０は、電極１３同士の間を絶縁する機能と、侵入した水分が有機発光部１２に到達するのを抑制する機能とを併せ持っているので、それぞれの機能を持つ部材を別々に設ける必要がない。  
そのため、発光装置１の構成を簡素化することができる。
【００３４】
次に、本実施の形態に係る照明装置１００について説明する。  
図１に示すように、照明装置１００は、発光装置１と筐体１０１を備えている。  
筐体１０１の内部には、発光装置１が設けられている。  
筐体１０１の一方の端面には、窓部１０１ａが設けられている。  
窓部１０１ａの内部には基板３が露出している。  
筐体１０１の他方の端面には、窓部１０１ｂが設けられている。  
窓部１０１ｂの内部には基板２が露出している。  
そのため、照明装置１００の一方の側から入射した光Ｌ２は、窓部１０１ａ、発光装置１、および窓部１０１ｂを介して、照明装置１００の他方の側から出射する。  
また、発光部１０から出射した光Ｌ１は、窓部１０１ｂを介して照明装置１００の外部に出射する。なお、両面発光型の発光装置の場合には、発光部１０から出射した光Ｌ１は、窓部１０１ａおよび窓部１０１ｂを介して照明装置１００の外部に出射する。
【００３５】
ここで、透過部２０は、絶縁性と光の透過性とを有する材料から形成され、第２封止部３０は、絶縁性と光の透過性とを有した材料に乾燥剤を添加したものから形成されている。
また、前述したように、第２封止部３０と第１封止部４との間には、空間３１が設けられている。空間３１には、乾燥ガスが充填されている。
そのため、外部から入射した光Ｌ２が、透過部２０と第２封止部３０の積層体、または空間３１を透過する場合、光Ｌ２は、材料や屈折率が異なる２つの領域を透過することになる。その結果、透過部２０と第２封止部３０の積層体が設けられた中央領域と、空間３１が設けられた周縁領域とでは、透過した光Ｌ２の色味や明るさが異なるものとなるおそれがある。
【００３６】
そこで、本実施の形態においては、平面視において、窓部１０１ａおよび窓部１０１ｂの内部に空間３１が設けられた領域が露出しないようになっている。  
すなわち、平面視において、空間３１が設けられた領域と、筐体１０１とが重なるようになっている。  
そのため、発光装置１の周縁近傍において生じ得る色味や明るさが異なる領域を隠すことができる。
【００３７】
筐体１０１は、光Ｌ２が透過し難い材料から形成することができる。  
光Ｌ２が透過し難い材料は、例えば、金属、不透明な樹脂、不透明な無機材料などとすることができる。
【００３８】
本実施の形態に係る照明装置１００は、例えば、自動車などの移動体に設けられる照明装置、住宅などの建築物に設けられる照明装置、屋外施設に設けられる照明装置、読書灯などの器具に設けられる照明装置とすることができる。
【００３９】
また、例えば、本実施の形態に係る発光装置１を備えた照明装置１００が自動車の窓などに設けられた場合には、昼間は外光（光Ｌ２）を取り入れることができ、夜間などに車内を明るくしたい場合には照明装置として用いることができる。そのため、外光を有効利用することができるので、省エネルギーとなる。また、自動車の窓などと一体化できるので、デザイン的、スペース的にも優れたものとすることができる。
【００４０】
図３は、他の実施形態に係る発光装置４１を例示するための模式断面図である。  
図３は、前述した図２に対応する図である。  
前述した発光装置１と同様に、発光装置４１には、基板２、基板３、第１封止部４、透過部２０、および第２封止部３０が設けられている。  
図３に示すように、発光装置４１には、前述した発光部１０に代えて、発光部５０が設けられている。
【００４１】
発光部５０は、前述した発光部１０と同様に、電極１１、有機発光部１２、および電極１３を有する。  
ただし、発光部５０の場合には、Ｘ方向に並べて設けられた複数の有機発光部１２のうち、並びの両側に設けられた有機発光部１２ａのＹ方向における長さは、並びの両側に設けられた有機発光部１２ａ以外の有機発光部１２ｂのＹ方向における長さよりも短くなっている。具体的には、並びの両側に設けられた有機発光部１２ａのＹ方向における長さＡ２は、並びの両側に設けられた有機発光部１２ａ以外の有機発光部１２ｂのＹ方向における長さＡ１よりも短く、Ａ２はＡ１に比べて９５％程度であることが望ましい。Ａ２がＡ１の９５％よりも短くなると、並びの両側に設けられた有機発光部１２ａが発光する面積が狭くなり、並びの両側が暗くなるため、好ましくない。  
また、有機発光部１２ａの上に設けられる電極１３ａの長さが、有機発光部１２ｂの上に設けられる電極１３ｂの長さよりも短くなっている。
【００４２】
並びの両側に設けられた有機発光部１２ａの端部には、Ｘ方向およびＹ方向の２方向から水分が侵入する。  
そのため、有機発光部１２ａの端部には、水分が到達し易くなる。
【００４３】
そこで、本実施の形態に係る発光部５０においては、並びの両側に設けられた有機発光部１２ａの長さが、有機発光部１２ｂの長さよりも短くなっている。  
この様にすれば、並びの両側に設けられた有機発光部１２ａの端部に水分が到達し難くなる。
【００４４】
本発明者の得た知見によれば、有機発光部１２ａと、Ｘ方向における第１封止部４の内壁との間の距離をＤｘ、有機発光部１２ａと、Ｙ方向における第１封止部４の内壁との間の距離をＤｙ、第１封止部４の内壁の角部と、有機発光部１２ａの端部の中心位置との間の距離をＤとした場合に、Ｄの値が、２・Ｄｘおよび２・Ｄｙのいずれか小さい方よりも大きくなるようにすれば、有機発光部１２ａの端部の近傍における発光特性が劣化するのを抑制することができる。また、Ｄｙは、２．５％程度であることが望ましい。
【００４５】
（第２の実施形態）  
図４は、第２の実施形態に係る発光装置６１および照明装置１１０を例示するための模式断面図である。  
図４に示すように、照明装置１１０は、発光装置６１と筐体１１１を備えている。  
発光装置６１は、ボトムエミッション型の発光装置である。そのため、発光装置６１には、前述した透過部２０が設けられていない。
【００４６】
発光装置６１には、基板２、基板３、第１封止部４、発光部６０、および第２封止部３０が設けられている。  
発光部６０は、電極１１、有機発光部６２、および電極６３を有する。  
有機発光部６２は、膜状を呈し、電極１１の上に設けられている。  
有機発光部６２は、例えば、有機発光ダイオードなどとすることができる。  
有機発光部６２の材料および構成は、例えば、前述した有機発光部１２の材料および構成と同様とすることができる。
【００４７】
電極６３は、膜状を呈し、有機発光部６２の上に設けられている。  
電極６３は、有機発光部６２と接触し、電気的に接続されている。  
電極６３の材料は、前述した電極１３の材料と同様とすることができる。  
この場合、電極６３がアルミニウムなどの金属から形成された場合には、有機発光部６２から出射した光Ｌ１は、発光装置６１の正面側に放射される。  
電極６３が導電性と光の透過性とを有する材料から形成された場合には、有機発光部６２から出射した光Ｌ１は、発光装置６１の正面側および背面側に放射される。この場合、発光装置６１は、両面発光型の発光装置となる。
【００４８】
本実施の形態に係る発光装置６１の場合も、第２封止部３０は、平面視において有機発光部６２が設けられた領域を覆うように設けられている。  
また、第２封止部３０と第１封止部４との間には、空間３１が設けられている。  
すなわち、発光装置６１がボトムエミッション型の発光装置である場合も、第２封止部３０および空間３１を設けることができる。そして、第２封止部３０および空間３１を設けることで、前述した効果を享受することができる。
【００４９】
筐体１１１の内部には、発光装置６１が設けられている。  
筐体１１１の端面には、窓部１１１ａが設けられている。  
窓部１１１ａの内部には基板２が露出している。  
発光部６０から出射した光Ｌ１は、窓部１１１ａを介して照明装置１１０の外部に出射する。なお、発光装置６１が両面発光型の発光装置の場合には、前述した筐体１０１と同様に基板３が露出する窓部を設けるようにすればよい。  
筐体１１１の材料などは、前述した筐体１０１と同様とすることができる。
【００５０】
本実施の形態においても、平面視において、窓部１１１ａの内部に空間３１が設けられた領域が露出しないようになっている。  
すなわち、平面視において、空間３１が設けられた領域と、筐体１１１とが重なるようになっている。  
そのため、発光装置６１の周縁近傍において生じ得る色味や明るさが異なる領域を隠すことができる。
【００５１】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５２】
１  発光装置、２  基板、３  基板、４  第１封止部、１０  発光部、１１  電極、１２  有機発光部、１２ａ  有機発光部、１３  電極、２０  透過部、３０  第２封止部、３１  空間、４１  発光装置、５０  発光部、６０  発光部、６１  発光装置、６２  有機発光部、６３  電極、１００  照明装置、１０１  筐体、１１０  照明装置、１１１  筐体
【図１】
2016162563.tif 000003
【図２】
2016162563.tif 000004
【図３】
2016162563.tif 000005
【図４】
2016162563.tif 000006